(57)【要約】ガイドレールセクションを支持ブラケットに搭載するためのレールクリップアセンブリは、ベース及びベースに対してある角度で延在するアームを有するレールクリップを含む。少なくとも１つの接触アセンブリはレールクリップに搭載される。接触アセンブリは、ガイドレールセクションの隣接表面にある点で接触する。
2018535167.tif 000002
【特許請求の範囲】
【請求項１】
ガイドレールセクションを支持ブラケットに取り付けるためのレールクリップアセンブリであって、
ベース及び前記ベースに対してある角度で延在するアームを含むレールクリップと、
前記レールクリップに取り付けられた少なくとも１つの接触アセンブリとを備え、前記接触アセンブリは、前記ガイドレールセクションの隣接表面にある点で接触する、前記レールクリップアセンブリ。
【請求項２】
前記接触アセンブリは、前記ガイドレールセクションの前記隣接表面と接触して配置されるコンタクタを含み、前記コンタクタの少なくとも一部分は全体的に球の形状を有する、請求項１に記載のレールクリップアセンブリ。
【請求項３】
前記接触アセンブリは、付勢機構を更に含み、前記コンタクタは、前記ガイドレールセクションの前記隣接表面と接触するよう付勢されるように前記付勢機構の端に取り付けられる、請求項２に記載のレールクリップアセンブリ。
【請求項４】
締結具が、前記コンタクタを前記付勢機構に結合し、前記締結具は、前記ガイドレールセクションの前記隣接表面に対して前記コンタクタによって加えられる力を調整するように構成される、請求項３に記載のレールクリップアセンブリ。
【請求項５】
前記少なくとも１つの接触アセンブリは、前記アームから垂直に延在する接触アセンブリを含む、請求項１〜４のいずれか１項に記載のレールクリップアセンブリ。
【請求項６】
前記少なくとも１つの接触アセンブリは、前記ベースから水平に延在する接触アセンブリを含む、請求項１〜５のいずれか１項に記載のレールクリップアセンブリ。
【請求項７】
前記ガイドレールセクションと前記支持ブラケットとの間に取り付けられるように構成されるベースプレートを更に備える、請求項１〜６のいずれか１項に記載のレールクリップアセンブリ。
【請求項８】
前記ベースプレートは、線に沿って前記ガイドレールセクションに接触するように構成される、請求項７に記載のレールクリップアセンブリ。
【請求項９】
レールアセンブリであって、
ベースフランジ及び前記ベースフランジから垂直に延在するブレードを含むガイドレールセクションと、
支持ブラケットと、
前記ガイドレールセクションを前記支持ブラケットに取り付けるための少なくとも１つのレールクリップアセンブリとを備え、前記少なくとも１つのレールクリップアセンブリは、
ベース及び前記ベースに対してある角度で延在するアームを含むレールクリップ、及び、
前記レールクリップに取り付けられた少なくとも１つの接触アセンブリを含み、前記接触アセンブリは、前記ガイドレールセクションの隣接表面にある点で接触する、前記レールアセンブリ。
【請求項１０】
前記レールクリップの前記ベースは、前記ガイドレールセクションの前記ブレードに全体的に平行に延在し、前記レールクリップの前記アームは、前記ベースフランジの一部分の上で外方に延在する、請求項９に記載のレールアセンブリ。
【請求項１１】
前記レールクリップの前記アームと前記ベースフランジの隣接表面との間にギャップが存在する、請求項９または請求項１０に記載のレールアセンブリ。
【請求項１２】
前記レールクリップの前記アームは、前記ギャップが前記アームの長さにわたって実質的に均一になるように前記ベースフランジの前記隣接表面に全体的に平行に配置される、請求項１１に記載のレールアセンブリ。
【請求項１３】
前記レールクリップの前記ベースと前記ベースフランジの隣接表面との間にギャップが存在する、請求項９〜１２のいずれか１項に記載のレールアセンブリ。
【請求項１４】
前記少なくとも１つの接触アセンブリは、前記アームから垂直に延在する接触アセンブリを含む、請求項９〜１３のいずれか１項に記載のレールアセンブリ。
【請求項１５】
前記少なくとも１つの接触アセンブリは、前記ベースから水平に延在する接触アセンブリを含む、請求項９〜１４のいずれか１項に記載のレールアセンブリ。
【請求項１６】
前記接触アセンブリは、前記ガイドレールセクションの前記隣接表面と接触して配置されるコンタクタを含み、前記コンタクタの少なくとも一部分は全体的に球の形状を有する、請求項９〜１５のいずれか１項に記載のレールアセンブリ。
【請求項１７】
前記接触アセンブリは、付勢機構を更に含み、前記コンタクタは、前記ガイドレールセクションの前記隣接表面と接触するよう付勢されるように前記付勢機構の端に取り付けられる、請求項１６に記載のレールアセンブリ。
【請求項１８】
締結具が、前記コンタクタを前記付勢機構に結合し、前記締結具は、前記ガイドレールセクションの前記隣接表面に対して前記コンタクタによって加えられる力を調整するように構成される、請求項１７に記載のレールアセンブリ。
【請求項１９】
前記ガイドレールセクションと前記支持ブラケットとの間に取り付けられるように構成されるベースプレートを更に備える、請求項９〜１８のいずれか１項に記載のレールアセンブリ。
【請求項２０】
前記ベースプレートは、線に沿って前記ガイドレールセクションに接触するように構成される、請求項１９に記載のレールアセンブリ。
【発明の詳細な説明】
【技術分野】
【０００１】
本開示は、一般に、エレベータシステムに関し、より詳細には、エレベータシステムのガイドレールを隣接支持ブラケットに留めるためのレールクリップに関する。
【背景技術】
【０００２】
牽引エレベータシステムにおいて、エレベータかごは、昇降路ロープ及びシーブまたはプーリシステムによって釣り合い錘ユニットに接続される。かご及び釣り合い錘ユニットはそれぞれ、通常、一対の垂直に延在するガイドレールの間に搭載され、ローラまたはガイドシューを使用してレールに沿って乗るように配置される。ガイドレールは、複数の全体的にＴ状のガイドレールセクションからなり、ガイドレールセクションは、通常、１６フィート長で直立し、支持ブラケットによってエレベータシステムを収容する建物に取付けられる。
【０００３】
アセンブリにおいて、Ｔ状ガイドレールセクションのベースフランジは、クリップによって支持ブラケットに取付けられるため、各レールのブレードまたはウェブセクションは、かごまたは釣り合い錘に向かって内方に向く。ガイドローラまたはシューは、安全装置と共にブレードに沿って乗り、ブレードは、超過速度状態が検知される場合に、かごに対して迅速かつ安全な停止をもたらすのに十分な摩擦保持力をレールに対して加えるように設計される。見られるように、ガイドレールセクションは、アセンブリにおいて精密に整列されなければならない。その理由は、ガイドレールセクションが、昇降路内でのエレベータの位置決め及び動作機器の多くの関連する位置決めを決定するからである。
【発明の概要】
【発明が解決しようとする課題】
【０００４】
ガイドレールセクションを支持ブラケットに搭載するために使用されるクリップは、エレベータシステムを収容する建物が沈降する、または、支持ブラケット及び／またはブラケットが取付けられる建物が熱応力によって不均一に変形する場合に、ガイドレールセクションが、縦方向にシフトまたは移動することを可能にしなければならない。したがって、レールクリップについての要件は、必ずしも互いに互換性があるわけではない。クリップは、レール重量だけでなく、かごの安全装置が係合するときに生成される動的荷重もまた支持するのに十分な保持力を提供しなければならない。クリップは、同様に、エレベータシステムを収容する建物が沈降する、または、建物とレールとの間に熱膨張の差が存在する場合に、レールが垂直に摺動することを可能にしなければならない。
【課題を解決するための手段】
【０００５】
本開示の一実施形態によれば、ガイドレールセクションを支持ブラケットに搭載するためのレールクリップアセンブリは、ベース及びベースに対してある角度で延在するアームを有するレールクリップを含む。少なくとも１つの接触アセンブリはレールクリップに搭載される。接触アセンブリは、ガイドレールセクションの隣接表面にある点で接触する。
【０００６】
上述した特徴の１つまたは複数に加えてまたは代替法として、更なる実施形態において、接触アセンブリは、ガイドレールセクションの隣接表面と接触状態で配置されるコンタクタを含む。コンタクタの少なくとも一部分は全体的に球の形状を有する。
【０００７】
上述した特徴の１つまたは複数に加えてまたは代替法として、更なる実施形態において、接触アセンブリは、付勢機構を含む。コンタクタは、ガイドレールセクションの隣接表面と接触して付勢されるように付勢機構の端に搭載される。
【０００８】
上述した特徴の１つまたは複数に加えてまたは代替法として、更なる実施形態において、締結具は、コンタクタを付勢機構に結合する。締結具は、ガイドレールセクションの隣接表面に対してコンタクタによって加えられる力を調整するように構成される。
【０００９】
上述した特徴の１つまたは複数に加えてまたは代替法として、更なる実施形態において、少なくとも１つの接触アセンブリは、アームから垂直に延在する接触アセンブリを含む。
【００１０】
上述した特徴の１つまたは複数に加えてまたは代替法として、更なる実施形態において、少なくとも１つの接触アセンブリは、ベースから水平に延在する接触アセンブリを含む。
【００１１】
上述した特徴の１つまたは複数に加えてまたは代替法として、更なる実施形態において、ベースプレートは、ガイドレールセクションと支持ブラケットとの間に搭載されるように構成される。
【００１２】
上述した特徴の１つまたは複数に加えてまたは代替法として、更なる実施形態において、ベースプレートは、線に沿ってガイドレールセクションに接触するように構成される。
【００１３】
別の実施形態によれば、レールアセンブリが提供され、レールアセンブリはベースフランジ及びベースフランジから垂直に延在するブレードを有するガイドレールセクションを含む。レールアセンブリは、支持ブラケットと、ガイドレールセクションを支持ブラケットに搭載するための少なくとも１つのレールクリップアセンブリとを更に含む。少なくとも１つのレールクリップアセンブリは、ベース及びベースに対してある角度で延在するアームを有するレールクリップ及びレールクリップに搭載される少なくとも１つの接触アセンブリを含む。接触アセンブリは、ガイドレールセクションの隣接表面にある点で接触する。
【００１４】
上述した特徴の１つまたは複数に加えてまたは代替法として、更なる実施形態において、レールクリップのベースは、ガイドレールセクションのブレードに全体的に平行に延在し、レールクリップのアームは、ベースフランジの一部分の上で外方に延在する。
【００１５】
上述した特徴の１つまたは複数に加えてまたは代替法として、更なる実施形態において、ギャップは、レールクリップのアームとベースフランジの隣接表面との間に存在する。
【００１６】
上述した特徴の１つまたは複数に加えてまたは代替法として、更なる実施形態において、レールクリップのアームは、ギャップがアームの長さにわたって実質的に均一になるようにベースフランジの隣接表面に全体的に平行に配置される。
【００１７】
上述した特徴の１つまたは複数に加えてまたは代替法として、更なる実施形態において、ギャップは、レールクリップのベースとベースフランジの隣接表面との間に存在する。
【００１８】
上述した特徴の１つまたは複数に加えてまたは代替法として、更なる実施形態において、少なくとも１つの接触アセンブリは、アームから垂直に延在する接触アセンブリを含む。
【００１９】
上述した特徴の１つまたは複数に加えてまたは代替法として、更なる実施形態において、少なくとも１つの接触アセンブリは、ベースから水平に延在する接触アセンブリを含む。
【００２０】
上述した特徴の１つまたは複数に加えてまたは代替法として、更なる実施形態において、接触アセンブリは、ガイドレールセクションの隣接表面と接触して配置されるコンタクタを含む。コンタクタの少なくとも一部分は全体的に球の形状を有する。
【００２１】
上述した特徴の１つまたは複数に加えてまたは代替法として、更なる実施形態において、接触アセンブリは、付勢機構を更に含む。コンタクタは、ガイドレールセクションの隣接表面と接触するよう付勢されるように付勢機構の端に搭載される。
【００２２】
上述した特徴の１つまたは複数に加えてまたは代替法として、更なる実施形態において、締結具は、コンタクタを付勢機構に結合し、締結具は、ガイドレールセクションの隣接表面に対してコンタクタによって加えられる力を調整するように構成される。
【００２３】
上述した特徴の１つまたは複数に加えてまたは代替法として、更なる実施形態において、ベースプレートは、ガイドレールセクションと支持ブラケットとの間に搭載されるように構成される。
【００２４】
上述した特徴の１つまたは複数に加えてまたは代替法として、更なる実施形態において、ベースプレートは、線に沿ってガイドレールセクションに接触するように構成される。
【００２５】
開示と見なされる主題は、本明細書の結論部の特許請求の範囲において特に指摘され明確に特許請求される。本開示の前述のまた他の特徴及び利点は、添付図面に関連して行われる以下の詳細な説明から明らかである。
【図面の簡単な説明】
【００２６】
【図１】エレベータシステムの一例の正面図である。
【図２】本開示の一実施形態によるエレベータガイドレール及びレールクリップアセンブリの断面図である。
【図３】本開示の一実施形態によるエレベータガイドレール及びレールクリップアセンブリの上面図である。
【図４】本開示の一実施形態によるエレベータガイドレール及びレールクリップアセンブリの斜視図である。
【図５】本開示の一実施形態によるエレベータガイドレール及びレールクリップアセンブリの分解斜視図である。
【図６】本開示の一実施形態によるエレベータガイドレール及びレールクリップアセンブリの断面図である。
【発明を実施するための形態】
【００２７】
詳細な説明は、図面を参照して例として、利点及び特徴と共に本開示の実施形態を説明する。
【００２８】
ここで図１を参照すると、例示的なエレベータシステム１０が示される。昇降路１４は、昇降路１４の内壁２４上に位置決めされるかごガイドレール３８ａ、及び、釣り合い錘ブラケット５６に搭載されるかごガイドレール３８ｂを含む。釣り合い錘ブラケット５６は、対向する内壁２６に搭載されてもよい。代替的に、かごガイドレール３８ｂは、対向する内壁２６に直接搭載されてもよい、または、別個のブラケットを使用して対向する内壁２６に搭載されてもよい。かごガイドレール３８ａ、３８ｂは、昇降路１４内でエレベータかご１２の垂直移動を誘導する。エレベータかご１２は、同様に、エレベータかご１２が、かごガイドレール３８ａ、３８ｂに沿って移動するときにエレベータかご１２の適切なアライメントを維持するため、エレベータかご１２の上部及び下部に配設されるガイドアセンブリ２８、３０を含む。
【００２９】
釣り合い錘ブラケット５６は、釣り合い錘２２の移動のための、昇降路１４の全体の高さに延在する空間を効果的に画定する。本明細書で使用されるとき、用語釣り合い錘２２は、釣り合い錘アセンブリを含み、釣り合い錘アセンブリは、それ自身、当業者によって理解されることになる種々の構成要素を含んでもよい。釣り合い錘２２は、従来のエレベータシステムにおいて知られているように、エレベータかご１２に対向して移動する。釣り合い錘２２は、昇降路１４内に搭載される釣り合い錘ガイドレール（図示せず）によって誘導される。エレベータかご１２及び釣り合い錘２２は、シーブアセンブリ３２、３４を含み、シーブアセンブリ３２、３４は、１つまたは複数の引張部材３６及び駆動機械１６と協働して、エレベータかご１２を上げ下げする。駆動機械１６は、本開示の例示的な実施形態において、フラット牽引ベルト３６と共に使用するために適し、そのために寸法が決定される。しかし、例えばスチールロープ等の異なるタイプの引張部材を含むエレベータシステムは、同様に、本発明の範囲内にある。示す例において、シーブアセンブリ３２は、エレベータかご１２のベースに取り付けられる。しかしながら、当業者によって認識されるように、エレベータかご１２上の別の場所に、または、システム１０内の他の所に搭載されてもよい。例示的なエレベータシステム１０の駆動機械１６は、釣り合い錘ガイドレールの少なくとも１つのガイドレールの上の搭載場所で位置決めされ支持される。
【００３０】
釣り合い錘ガイドレールの上で機械１６を支持することによって、従来のエレベータシステムにおいて必要とされる別個の機械室についての必要性がなくされる。本開示の例示的な実施形態による機械室無しエレベータシステム１０は、従来設置式システムと比べて、昇降路１４内にずっと少ないオーバヘッド空間を必要とし、別個の機械室についての必要性をなくす。ローピング構成及び昇降路レイアウトを含む示すエレベータシステム１０は、単に例として意図され、本明細書で提供される教示は、他のシステム及びシステム構成に適用されてもよい。
【００３１】
エレベータかご及び釣り合い錘ガイドレールは、端から端までのアセンブリ内で垂直に整列されるセクションとして形成される。ここで図２を参照すると、ガイドレールセクション６０の例が、より詳細に示される。図示するように、ガイドレールセクション６０は、通常、Ｔ状断面構成を有し、ベースフランジ６２、及び、フランジ６２の長さに沿って縦方向に延びる中心配置式ウェブまたはブレード６４を含む。先に述べたように、エレベータかご１２及び関連する釣り合い錘２２はそれぞれ、ローラまたはガイドシューによって、一対の離間したガイドレールに沿って自由に移動するように構成され、ローラまたはガイドシューは、各レールのブレード部分６４に沿って移動する。
【００３２】
各ガイドレールセクション６０は、１つまたは複数のレールクリップアセンブリ７０を使用して複数の支持ブラケット６６（図５に最もよく示される）に取付けられる。ここで図２〜６を参照すると、レールクリップアセンブリ７０の一例がより詳細に示される。各レールクリップアセンブリ７０は、少なくとも１つのレールクリップ７２を含む。図の示す非制限的な実施形態において、レールクリップアセンブリ７０は、２つのレールクリップ７２を含む。
【００３３】
各レールクリップ７２は、ガイドレールセクション６０のベースフランジ６２に隣接して支持ブラケット６６の一部分に接触するように適合されるベース７４を含む。ベース７４は、ガイドレールセクション６０のブレード部分６４に全体的に平行に延在する。ベース７４に搭載されるアーム７６は、ガイドレールセクション６０のベースフランジ６２の上で外方に延在する。図示するように、アーム７６及びベース７４は一体形成される。しかし、アーム７６及びベース７４が互いに結合される実施形態は、同様に、本開示内で企図される。ボルト受取り穴７８は、ベース７４を貫通して延在し、支持ブラケット６６内に形成される対応する貫通穴６８に中心を持つ。アセンブリにおいて、ボルト８０は、穴７８及び６８を通過して、レールクリップ７２を、下にある支持ブラケット６６に留める。穴７８は、図示するように円であり得る、または、アセンブリ７０においてクリップ７４のある程度の調整を可能にする別の構成を有してもよい。
【００３４】
アーム７６の上側表面８２は、全体的にフラットであり、支持ブラケット６６に平行に配置される。図示するように、ギャップ８４は、レールクリップ７２のアーム７６の下側表面８６とガイドレールセクション６０のベースフランジ６２との間に存在する。例えば、アーム７６は、ベースフランジ６２の表面６３に全体的に平行に配置されてもよい。一実施形態において、ベースフランジ６２に隣接するアーム７６の下側表面８６は、ベースフランジ６２と実質的に同一のまたは相補的な輪郭を有し、それにより、ギャップ８４は、アーム７６の長さにわたって実質的に均一である。しかし、他の実施形態において、ギャップ８４は、例えば、表面８６がベースフランジ６２に対してある角度で配置される場合、アーム７６の長さにわたって変動する場合がある。ギャップ８８は、レールクリップ７２のベース７４とベースフランジ６２の側部表面６５との間に更に存在する。しかし、ベース７４とベースフランジ６２との間のギャップ８８は、アーム７６とベースフランジ７２との間のギャップ８４と同一である必要はない場合がある。
【００３５】
レールクリップ７２は、レールクリップ７２から突出し、ベースフランジ６２の表面に接触するように構成される少なくとも１つの接触アセンブリ９０を更に含む。図２に示す一実施形態において、少なくとも１つの接触アセンブリ９０は、アーム７６から垂直に下方に突出する。代替的にまたは付加的に、少なくとも１つの接触アセンブリ９０は、ベース７４の一部分から全体的に水平に延在し、ベースフランジ６２の側部表面６５に接触してもよい。接触アセンブリ９０は、ベースフランジ６２の隣接表面にある点で接触するように配置されるコンタクタ９２（図６参照）を含む。一実施形態において、ベースフランジ６２に隣接するコンタクタ９２の部分は、球のまたは丸みのある形状を有する。例えば、コンタクタ９２は転動ボールであってもよい。しかし、コンタクタ９２とベースフランジ６２との間の点接触を達成する他の構成は、同様に本開示の範囲内にある。更に、コンタクタ９２は、例えばブロンズ等の高い摺動特性を有する材料から形成されてもよい。
【００３６】
一実施形態において、接触アセンブリ９０は、付勢機構９４を更に含み、コンタクタ９２は、付勢機構９４の端の近くに搭載されてもよい。示す非制限的な実施形態において、付勢機構９４は、コイルばねであり、コイルばねの中空部分を通って延在する締結具９６（図２参照）は、コンタクタ９２に取付けられる；しかし、ねじりばねまたはベルヴィルワッシャ等の他のタイプの付勢機構９４は、同様に本開示の範囲内にある。付勢機構９４の付勢力は、ベースフランジ６２の隣接表面と接触するようコンタクタ９２を付勢し、隣接表面に力を加えるように構成される。締結具９６は、付勢機構９４内に予荷重を生成するために使用されてもよく、それにより、所望の力が、コンタクタ９２によってベースフランジ６２の表面に加えられる。
【００３７】
ここで図４〜６を参照すると、幾つかの実施形態において、レールクリップアセンブリ７０は、ガイドレールセクション６０とレールクリップ７２の両方と、支持ブラケット６６との間に配設されるベースプレート１００を更に含む。図示するように、ベースプレート１００は、例えば、ガイドレールセクション６０の後表面６７等のガイドレールセクション６０の一部分に接触するように構成される平坦表面１０２を含む。しかし、ガイドレールセクション６０の後表面６７が非平坦構成を有する実施形態において、ベースプレート１００の輪郭は、ガイドレールセクション６０の対応する部分に全体的に相補的であってもよい。一実施形態において、ベースプレート１００の輪郭は、ガイドレールセクション６０と異なり、それにより、表面１０２は、ガイドレールセクション６０の後表面６７に線に沿って接触するように構成される。
【００３８】
ベースプレート１００全体またはガイドレールセクション６０に接触するように構成されるベースプレート１００の部分は、摩擦を低減し、ベースプレート１００に対するガイドレールセクション６０の摺動特性を改善する材料から形成されてもよい、または、そうすることを意図される仕上げを含んでもよい。一実施形態において、ガイドレールセクション６０と接触して配置されるベースプレート１００の部分は、ブロンズ材料を含む。
【００３９】
更に、ベースプレート１００は、ベースプレート１００の一部分が、少なくとも１つのレールクリップ７２と接触するため、ガイドレールセクション６０の少なくとも一方の側を超えて延在するように位置決めされる。示す非制限的な実施形態において、ベースプレート１００は、全体的に長方形であり、ガイドレールセクション６０より大きな幅を有し、それにより、ベースプレート１００の第１の端１０４は、ガイドレールセクション６０の第１の側６５を超えて延在し、ベースプレート１００の第２の端１０６は、ガイドレールセクション６０の対向する第２の側６５を超えて延在する。ガイドレールセクション６０を超えて延在するベースプレート１００の部分は、レールクリップ７２を支持ブラケット６６に搭載するように構成されるボルト８０を受取るための貫通穴１０８を含む。
【００４０】
ガイドレールセクション６０を点接触によって接触させることによって、レールクリップアセンブリ７０は、ブラケット６６及びレールクリップアセンブリ７０を通してレールに加えられる垂直荷重を低減し、また幾つかの事例では打消す。垂直荷重のこの打消しは、用途で必要とされるレール寸法を制限し、それにより、昇降路空間、複雑さ、及びコストを低減する。更に、コンタクタアセンブリ９０が付勢機構９４を含むレールクリップアセンブリ７０の実施形態は、現場において付勢機構９４内の予荷重の調整を容易にする。
【００４１】
本開示は、制限された数の実施形態のみに関連して詳細に述べられたが、本開示が、開示されたこうした実施形態に限定されないことが容易に理解されるべきである。むしろ、本開示は、これまで述べられていないが、本開示の精神及び範囲に対応する、任意の数の変形、代替、置換、または等価な配置構成を組込むように修正され得る。更に、本開示の種々の実施形態が述べられたが、本開示の態様が、述べた実施形態の一部のみを含んでもよいことが理解される。したがって、本開示は、前述の説明によって制限されるものと見なされるのではなく、添付の特許請求の範囲によってのみ限定される。
【図１】
2018535167.tif 000003
【図２】
2018535167.tif 000004
【図３】
2018535167.tif 000005
【図４】
2018535167.tif 000006
【図５】
2018535167.tif 000007
【図６】
2018535167.tif 000008
【国際調査報告】
2018535167.tif 000009
2018535167.tif 000010